(57)【要約】【課題】硬貨の出金処理をより円滑に行う。【解決手段】硬貨を収納する収納庫と、前記収納庫に収納された前記硬貨の出金処理を制御する制御部と、前記出金処理において前記収納庫から出金された前記硬貨を保持する硬貨出金口と、前記硬貨出金口が保持する前記硬貨のフル状態を検出するフル状態検出部と、を備え、前記制御部は、前記出金処理の過程で前記フル状態検出部により前記フル状態が検出されたことに基づき、前記収納庫から前記硬貨出金口への前記硬貨の出金を停止し、前記フル状態が解除された後に前記硬貨の出金を再開する第１の出金処理を制御し、前記硬貨出金口に出金される単位時間当たりの前記硬貨の量は、前記フル状態が検出される前と、前記硬貨の出金の再開後とで異なる、硬貨処理装置。【選択図】図３
2019096169.tif 000002
【特許請求の範囲】
【請求項１】
硬貨を収納する収納庫と、
前記収納庫に収納された前記硬貨の出金処理を制御する制御部と、
前記出金処理において前記収納庫から出金された前記硬貨を保持する硬貨出金口と、
前記硬貨出金口が保持する前記硬貨のフル状態を検出するフル状態検出部と、
を備え、
前記制御部は、前記出金処理の過程で前記フル状態検出部により前記フル状態が検出されたことに基づき、前記収納庫から前記硬貨出金口への前記硬貨の出金を停止し、前記フル状態が解除された後に前記硬貨の出金を再開する第１の出金処理を制御し、
前記硬貨出金口に出金される単位時間当たりの前記硬貨の量は、前記フル状態が検出される前と、前記硬貨の出金の再開後とで異なる、硬貨処理装置。
【請求項２】
前記硬貨の出金の再開直後に前記硬貨出金口に出金される単位時間当たりの前記硬貨の量は、前記フル状態が検出される前に前記硬貨出金口に出金される単位時間当たりの前記硬貨の量よりも少ない第１の量である、請求項１に記載の硬貨処理装置。
【請求項３】
前記硬貨の出金の再開後には、前記硬貨出金口に出金される単位時間当たりの前記硬貨の量が、前記第１の量から段階的または連続的に増加する、請求項２に記載の硬貨処理装置。
【請求項４】
前記硬貨処理装置は、
前記硬貨出金口における前記硬貨の空状態を検出する空状態検出部をさらに備え、
前記制御部は、前記硬貨の出金の再開後、前記空状態検出部により前記硬貨の空状態が検出されたことに基づき、前記硬貨出金口に出金される単位時間当たりの前記硬貨の量を、前記第１の量から増加させる、請求項３に記載の硬貨処理装置。
【請求項５】
前記制御部は、前記第１の出金処理または第２の出金処理のうちで、オペレータにより選択された出金処理を制御する、請求項１〜４のいずれか一項に記載の硬貨処理装置。
【請求項６】
前記制御部は、前記第２の出金処理において、前記フル状態検出部により前記フル状態が検出されない設定量の前記硬貨が前記硬貨出金口に出金される度に、前記収納庫から前記硬貨出金口への前記硬貨の出金を停止する、請求項５に記載の硬貨処理装置。
【請求項７】
前記硬貨処理装置は表示部をさらに備え、
前記制御部は、前記第２の出金処理において、前記設定量の前記硬貨が前記硬貨出金口に出金される度に、前記硬貨の取り出しを誘導する情報を前記表示部に表示させる、請求項６に記載の硬貨処理装置。
【請求項８】
前記制御部は、前記第２の出金処理において、前記収納庫から前記硬貨出金口への前記硬貨の出金を停止させた後、前記硬貨出金口における前記硬貨の空状態が検出されたことに基づいて、前記硬貨の出金を再開する、請求項６または７に記載の硬貨処理装置。
【発明の詳細な説明】
【技術分野】
【０００１】
本発明は、硬貨処理装置に関する。
【背景技術】
【０００２】
スーパーマーケットやコンビニエンスストア等の小売店およびディスカウントショップ等の大型量販店等の精算所には、レジスタまたはＰＯＳ（Ｐｏｉｎｔ  Ｏｆ  Ｓａｌｅｓ）用レジスタ、レジスタまたはＰＯＳ用レジスタに接続される現金処理装置が設置されている。現金処理装置は、硬貨の入出金のための硬貨入出金部、および紙幣の入出金のための紙幣入出金部を有する。
【０００３】
このような現金処理装置は、入金、一部回収および全回収などの処理を実行し得る。入金は、現金処理装置に投入された現金を収納し、現金処理装置に投入された現金と顧客への請求金額との差分に相当する現金を釣銭として出金する処理である。一部回収は、現金処理装置から、金種ごとに指定された枚数で現金を出金する処理である。全回収は、現金処理装置に収納されている全ての現金を出金する処理である。入金、一部回収および全回収などの処理で出金された硬貨は、現金処理装置の例えば前面に設けられる硬貨出金口に保持される。硬貨出金口に保持された硬貨はオペレータにより取り出される。
【０００４】
硬貨出金口には硬貨のフル状態を検出するセンサが設けられ、当該センサによりフル状態が検出されるか否かの境界となる硬貨の量が硬貨出金口の容量である。出金される硬貨の総量が硬貨出金口の容量を上回る場合、現金処理装置は、フル状態が検出されると硬貨の出金を停止し、硬貨出金口から硬貨が取り出された後に硬貨の出金を再開し得る。例えば、特許文献１には、フル状態が解除された後に出金を再開する方法が開示されている。
【先行技術文献】
【特許文献】
【０００５】
【特許文献１】特開２００９−５９３０６号公報
【発明の概要】
【発明が解決しようとする課題】
【０００６】
しかし、フル状態が解除されたとしても硬貨出金口に硬貨が残っている状態で出金が再開されると、頻繁にフル状態が検出され、結果、頻繁に出金が停止することが懸念される。
【０００７】
そこで、本発明は、上記問題に鑑みてなされたものであり、本発明の目的とするところは、硬貨の出金処理をより円滑に行うことが可能な、新規かつ改良された硬貨処理装置を提供することにある。
【課題を解決するための手段】
【０００８】
上記課題を解決するために、本発明のある観点によれば、硬貨を収納する収納庫と、前記収納庫に収納された前記硬貨の出金処理を制御する制御部と、前記出金処理において前記収納庫から出金された前記硬貨を保持する硬貨出金口と、前記硬貨出金口が保持する前記硬貨のフル状態を検出するフル状態検出部と、を備え、前記制御部は、前記出金処理の過程で前記フル状態検出部により前記フル状態が検出されたことに基づき、前記収納庫から前記硬貨出金口への前記硬貨の出金を停止し、前記フル状態が解除された後に前記硬貨の出金を再開する第１の出金処理を制御し、前記硬貨出金口に出金される単位時間当たりの前記硬貨の量は、前記フル状態が検出される前と、前記硬貨の出金の再開後とで異なる、硬貨処理装置が提供される。
【０００９】
前記硬貨の出金の再開直後に前記硬貨出金口に出金される単位時間当たりの前記硬貨の量は、前記フル状態が検出される前に前記硬貨出金口に出金される単位時間当たりの前記硬貨の量よりも少ない第１の量であってもよい。
【００１０】
前記硬貨の出金の再開後には、前記硬貨出金口に出金される単位時間当たりの前記硬貨の量が、前記第１の量から段階的または連続的に増加してもよい。
【００１１】
前記硬貨処理装置は、前記硬貨出金口における前記硬貨の空状態を検出する空状態検出部をさらに備え、前記制御部は、前記硬貨の出金の再開後、前記空状態検出部により前記硬貨の空状態が検出されたことに基づき、前記硬貨出金口に出金される単位時間当たりの前記硬貨の量を、前記第１の量から増加させてもよい。
【００１２】
前記制御部は、前記第１の出金処理または第２の出金処理のうちで、オペレータにより選択された出金処理を制御してもよい。
【００１３】
前記制御部は、前記第２の出金処理において、前記フル状態検出部により前記フル状態が検出されない設定量の前記硬貨が前記硬貨出金口に出金される度に、前記収納庫から前記硬貨出金口への前記硬貨の出金を停止してもよい。
【００１４】
前記硬貨処理装置は表示部をさらに備え、前記制御部は、前記第２の出金処理において、前記設定量の前記硬貨が前記硬貨出金口に出金される度に、前記硬貨の取り出しを誘導する情報を前記表示部に表示させてもよい。
【００１５】
前記制御部は、前記第２の出金処理において、前記収納庫から前記硬貨出金口への前記硬貨の出金を停止させた後、前記硬貨出金口における前記硬貨の空状態が検出されたことに基づいて、前記硬貨の出金を再開してもよい。
【発明の効果】
【００１６】
以上説明したように本発明によれば、硬貨の出金処理をより円滑に行うことが可能である。
【図面の簡単な説明】
【００１７】
【図１】本発明の実施形態による現金処理装置１の外観斜視図である。
【図２】本発明の実施形態による現金処理装置１０の機能構成例を示すブロック図である。
【図３】上方向から見た硬貨入出金部１００の断面図である。
【図４】硬貨出金口１３２の断面構成を示す説明図である。
【図５】比較例による硬貨の出金処理を示す説明図である。
【図６】第１の動作例による出金処理を示すフローチャートである。
【図７】第１の動作例と比較例との関係を示す説明図である。
【図８】第２の動作例による出金処理を示すフローチャートである。
【発明を実施するための形態】
【００１８】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００２０】
＜１．概要＞
まず、本発明の実施形態による現金処理装置の概要について説明する。本発明の実施形態による現金処理装置は、例えば、スーパーマーケットおよびコンビニエンスストアなどの小売店、ディスカウントショップなどの大型量販店などの精算所に設置されたレジスタまたはＰＯＳ（Ｐｏｉｎｔ  Ｏｆ  Ｓａｌｅｓ）用レジスタなどに接続された現金釣銭機である。
【００２１】
（外観構成）
図１は、本発明の実施形態による現金処理装置１の外観斜視図である。図１に示したように、現金処理装置１は、硬貨入出金部１００と、紙幣入出金部２００と、表示部２２１と、操作部２２２とを有する。
【００２２】
硬貨入出金部１００は、現金処理装置１の幅方向（現金処理装置１を前面から見た左右方向）の左側約半分に設けられ、硬貨の入出金を管理する。硬貨入出金部１００は、現金処理装置１の前方に、入金口１３１、硬貨出金口１３２およびリジェクト口１３３を有している。入金口１３１には、オペレータにより入金硬貨が投入される。硬貨出金口１３２には硬貨が出金され、硬貨出金口１３２は出金された硬貨を保持する。リジェクト口１３３にはリジェクト硬貨が排出される。
【００２３】
紙幣入出金部２００は、現金処理装置１の幅方向の右側約半分に設けられ、紙幣の入出金を管理する。紙幣入出金部２００は、現金処理装置１の前方に紙幣の入出金口を有し、当該入出金口を覆うようにシャッタ２０４が設けられる。オペレータは、シャッタ２０４が開かれた状態で、入出金口に入金紙幣を投入する、または入出金口から出金紙幣を抜き取る。
【００２４】
表示部２２１は、例えば、液晶ディスプレイで構成され、メニュー画面などを表示する。また、表示部２２１は、現金処理装置１の状態を示す情報を表示する。表示部２２１は、紙幣入出金部２００の前方上面において操作部２２２の隣に設けられている。
【００２５】
操作部２２２は、キーおよびボタンなどを有しており、オペレータの操作を受け付ける。例えば、オペレータは、操作部２２２を操作することにより、表示部２２１に表示された選択画面にて所望の項目を選択する。操作部２２２は、紙幣入出金部２００の前方上面に配置されている。
【００２６】
なお、上記では現金処理装置１が現金釣銭機である例を説明したが、現金処理装置１は、硬貨出金口を有し、硬貨の出金と受取が行われる入出金装置および自動取引装置にも本発明の実施形態を適用可能である。
【００２７】
（機能構成）
図２は、本発明の実施形態による現金処理装置１０の機能構成例を示すブロック図である。図２に示すように、現金処理装置１は、制御部４０、記憶部５０、通信部６０、操作表示部２２０、硬貨入出金部１００および紙幣入出金部２００およびを備える。
【００２８】
制御部４０は、ＣＰＵ（Ｃｅｎｔｒａｌ  Ｐｒｏｃｅｓｓｉｎｇ  Ｕｎｉｔ）などを含み、記憶部５０により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、制御部４０は、専用のハードウェアにより構成されていてもよいし、複数のハードウェアの組み合わせにより構成されてもよい。このような制御部４０は、現金処理装置１の動作全般を制御する。
【００２９】
例えば、制御部４０は、硬貨の入金、一部回収および全回収などの処理を実行し得る。入金は、現金処理装置１の硬貨入金口に投入された硬貨を収納し、現金処理装置１に投入された現金と顧客への請求金額との差分に相当する現金を釣銭として硬貨出金口１３２に出金する処理である。一部回収は、現金処理装置１から、金種ごとに指定された枚数で硬貨を硬貨出金口１３２に出金する処理である。全回収は、現金処理装置１に収納されている全ての硬貨を硬貨出金口１３２に出金する処理である。硬貨出金口１３２に出金され、硬貨出金口１３２に保持された硬貨はオペレータにより取り出される。
【００３０】
記憶部５０は、制御部４０を動作させるためのプログラムおよびデータを記憶することが可能な記憶装置である。また、記憶部５０は、制御部４０の動作の過程で必要となる各種データを一時的に記憶することもできる。例えば、記憶部５０は、不揮発性の記憶装置であってよい。
【００３１】
通信部６０は、ネットワーク５００を介してホストコンピュータ４００との間で通信を行うための通信インタフェースである。本実施形態においては、通信部６０が有線による通信を行う場合を主に想定するが、通信部６０は、無線による通信を行ってもよい。
【００３２】
操作表示部２２０は、上記した表示部２２１および上記した操作部２２２に相当する。紙幣入出金部２００の構成は図１を参照して説明した通りである。硬貨入出金部１００の構成も図１を参照して説明した通りであるが、本発明の実施形態は硬貨入出金部１００が行う出金処理に特に関するので、以下、硬貨入出金部１００の構成をより詳細に説明する。
【００３３】
＜２．硬貨入出金部の構成＞
図３は、上方向から見た硬貨入出金部１００の断面図である。この硬貨入出金部１００において、入金口１３１に投入された硬貨は１枚ずつに分離されて、入金搬送部１５１により搬送路１５２に沿って、鑑別部１５３を経由して選別部１５４に搬送され、金種毎に分別されて金種別収納部１５５（何れかの硬貨収納庫１６２）に収納される。金種別収納部１５５に収納された硬貨は、出金繰出部１５６により硬貨出金口１３２に排出される。
【００３４】
入金搬送部１５１は、無端状に形成された２本の搬送ベルト１５１ａ，１５１ｂによって、構成されている。搬送ベルト１５１ａは、入金口１３１に投入された硬貨を搬送路１５２の上流部分の途中まで搬送する搬送手段である。搬送ベルト１５１ｂは、硬貨を搬送路１５２の上流部分の途中から搬送路１５２の下流部分（厳密には、金種別収納部１５５の内部に設けられた該当金種の硬貨収納庫１６２の上）まで搬送する搬送手段である。
【００３５】
鑑別部１５３は、硬貨の種類及び真偽を鑑別する構成要素である。硬貨は、鑑別部１５３を経由して入金搬送部１５１に繰り出される。この鑑別部１５３にて正当であると鑑別された硬貨は、入金搬送部１５１に繰り出される。一方、鑑別部１５３にて不当であると鑑別された硬貨（リジェクト硬貨）は、搬送路１５２上のリジェクトゲート１５７が開口することにより、リジェクト口１３３に搬送する図示せぬ搬送ベルトの上に落下させる。これにより、硬貨入出金部１００は、リジェクト硬貨をリジェクト口１３３に排出することができる。
【００３６】
選別部１５４は、鑑別部１５３で正常に鑑別されて金種別収納部１５５の上に搬送された硬貨を金種別に選別する構成要素である。選別部１５４は、硬貨を金種別に選別して、選別収納ゲート１５８から金種別収納部１５５の内部に設けられた該当金種の硬貨収納庫１６２の中に落下させる。
【００３７】
金種別収納部１５５は、硬貨を金種別に収納する構成要素である。金種別収納部１５５は、硬貨を収納する機能と硬貨を出金する機能とを併せ持つ。この金種別収納部１５５は、内部で複数枚の仕切り板１６１によって複数の硬貨収納庫１６２に仕切られている。
【００３８】
各硬貨収納庫１６２は、それぞれに固有の金種が割り当てられている。硬貨入出金部１００は、各硬貨収納庫１６２に割り当てられた金種の硬貨を各硬貨収納庫１６２の中に収納する。ここでは、硬貨収納庫１６２が、一円硬貨、五円硬貨、十円硬貨、五十円硬貨、百円硬貨、及び五百円硬貨の６種類の金種に合わせて、６個設けられているものとして説明する。
【００３９】
各硬貨収納庫１６２は、装置の前後方向に延在するように、平行に配置されている。したがって、各硬貨収納庫１６２を仕切る仕切り板１６１も、装置の前後方向に延在するように、平行に配置されている。各硬貨収納庫１６２の底部には、硬貨を硬貨出金口１３２の方向（前方向）に搬送する搬送ベルトが１本ずつ設けられている。
【００４０】
出金繰出部１５６は、硬貨収納庫１６２の中に収納されている硬貨を硬貨出金口１３２に繰り出す構成要素である。出金繰出部１５６は、例えば、硬貨収納庫１６２の硬貨出金口１３２側にて硬貨を出口に導くガイド、硬貨を１枚ずつに分離する分離ローラ、硬貨収納庫１６２の出口を開閉するピン、出口から硬貨出金口１３２の方向に繰り出された硬貨を検知する光学センサ等を備えている。
【００４１】
また、出金繰出部１５６は、制御部４０からの指示に応じて、硬貨回収対象の硬貨収納庫１６２の中に収納されている硬貨を硬貨出金口１３２に繰り出す。ここで、硬貨回収対象の硬貨収納庫１６２が２以上であれば、それらに収納されている硬貨を同時に硬貨出金口１３２に繰り出す。
【００４２】
図４は、硬貨出金口１３２の断面構成を示す説明図である。図４に示したように、硬貨出金口１３２には、空状態検出部１７２およびフル状態検出部１７４が設けられる。空状態検出部１７２は、フル状態検出部１７４よりも硬貨出金口１３２の底部側に設けられ、空状態検出部１７２から延出する一点鎖線で示した光路上における硬貨の有無を検出する。空状態検出部１７２により硬貨が検出されなかった場合、硬貨出金口１３２に硬貨が保持されていないと考えられる。このため、空状態検出部１７２は、硬貨の非検出状態を硬貨出金口１３２の空状態（硬貨が保持されていない状態）として検出するセンサであるとも言える。
【００４３】
フル状態検出部１７４は、空状態検出部１７２よりも硬貨出金口１３２の上縁側に設けられ、フル状態検出部１７４から延出する一点鎖線で示した光路上における硬貨の有無を検出する。フル状態検出部１７４により硬貨が検出された状態は、硬貨出金口１３２の容量満杯の硬貨が硬貨出金口１３２に保持されていると状態、すなわちフル状態として扱われる。このため、フル状態検出部１７４は、硬貨出金口１３２のフル状態を検出するセンサであるとも言える。
【００４４】
また、硬貨出金口１３２は、前側に向かうほどせり上がる曲面１３２ａを有する。オペレータは、当該曲面１３２ａ上で硬貨を滑らせながら硬貨出金口１３２から硬貨を取り出すことが可能である。
【００４５】
＜３．背景＞
比較例による硬貨の出金処理では、硬貨出金口１３２のフル状態が検出されるまで硬貨の出金が続けられ、硬貨出金口１３２のフル状態が検出されると硬貨の出金が停止される。そして、硬貨出金口１３２から硬貨が取り出されて硬貨出金口１３２の空状態が検出された後に、硬貨の出金が再開される。その後、上述した出金の停止および再開が、出金予定の残り硬貨が無くなるまで繰り返される。
【００４６】
図５は、比較例による硬貨の出金処理を示す説明図である。比較例による硬貨の出金処理では、硬貨出金口１３２がフル状態になった後にオペレータが硬貨の取り出しを行う。このため、図５に示したように、１回の出金により硬貨出金口１３２に保持された硬貨をオペレータは複数回に分けて取り出すことになる。さらに、１回目の取り出しにおいては、硬貨出金口１３２がフル状態であるため、硬貨が硬貨出金口１３２からこぼれ落ちないように、オペレータは慎重に硬貨を取り出す。また、硬貨出金口１３２がフル状態であると、オペレータが硬貨を掴み難く、曲面１３２ａを滑らせながら硬貨を取り出すことも困難である。このため、１回目の取り出しには、図５に示したように、２回目以降の取り出しよりも多くの時間がかかる。結果、比較例による硬貨の出金処理では、出金予定の全ての硬貨が出金されてオペレータに取出されるまでの時間が長期化する。
【００４７】
そこで、本件発明者は上記事情を一着眼点にして本発明の実施形態を創作するに至った。本発明の実施形態によれば、硬貨の出金処理をより円滑に行うことが可能である。以下、本発明の実施形態による出金処理の幾つかの動作例を順次詳細に説明する。
【００４８】
＜４．動作例＞
（４−１．第１の動作例）
図６は、第１の動作例による出金処理を示すフローチャートである。図６に示したように、硬貨入出金部１００は、オペレータによる入金指示、一部回収指示または全回収指示などの出金指示に基づき、出金を開始する（Ｓ３０４）。そして、制御部４０は、オペレータにより指示された出金が大量出金であるか否かにより、出金方法を決定する（Ｓ３０８）。大量出金は、硬貨出金口１３２の容量を上回る量の硬貨を出金することであり、大量出金では、出金が複数回に分けて行われる。
【００４９】
オペレータにより指示された出金が大量出金でない場合（Ｓ３０８／Ｎｏ）、制御部４０は、出金予定の残り硬貨が無くなるまで、硬貨入出金部１００に出金を継続させる（Ｓ３１２）。一方、オペレータにより指示された出金が大量出金である場合（Ｓ３０８／Ｙｅｓ）、制御部４０は、硬貨出金口１３２の容量よりも少量の所定量の硬貨が硬貨出金口１３２に出金されるまで、硬貨入出金部１００に出金を継続させる（Ｓ３２０）。その間に、出金予定の残り硬貨が無くなった場合（Ｓ３１６／Ｎｏ）、出金処理が終了する。上述した所定量は、硬貨出金口１３２の容量の半分以上であり、硬貨出金口１３２の容量未満であってもよい。
【００５０】
そして、所定量の硬貨が硬貨出金口１３２に出金されると（Ｓ３２０／Ｙｅｓ）、制御部４０は、硬貨入出金部１００に出金を停止させ、操作表示部２２０に硬貨の取り出しを誘導する情報を表示させる（Ｓ３２４）。その後、硬貨出金口１３２から硬貨が取り出されて空状態検出部１７２により空状態が検出されると、制御部４０は、硬貨入出金部１００に硬貨の出金を再開させ（Ｓ３３２）、Ｓ３１６からの処理が繰り返される。
【００５１】
以上説明したように、第１の動作例においては、硬貨出金口１３２がフル状態になる前に硬貨の出金が一時的に停止される。このため、オペレータは、硬貨出金口１３２がフル状態である場合と比較して、硬貨出金口１３２に保持された硬貨を迅速に取り出すことが可能である。この点について、図７を参照してより具体的に説明する。
【００５２】
図７は、第１の動作例と比較例との関係を示す説明図である。図７に示したように、第１の動作例では、１回の出金での硬貨の出金量が比較例より少なくなるので、１回の出金にかかる時間が比較例よりも短くなる。また、第１の動作例では硬貨出金口１３２がフル状態になる前に硬貨の出金が一時的に停止されるので、第１の動作例では、出金停止後の１回目の取り出しにかかる時間が比較例での１回目の取り出しにかかる時間よりも大幅に短くなる。このため、第１の動作例では、１回の硬貨の出金量の減少率以上に、１回の硬貨の出金から硬貨の取り出し完了にかかる時間を減少させることが可能である。結果、第１の動作例によれば、出金予定の全ての硬貨が出金されてオペレータに取出されるまでの時間を短縮することが可能である。
【００５３】
（補足）
一般的に、入金において釣銭として出金される硬貨の量が硬貨出金口１３２の容量を上回ることは少なく、一部回収および全回収において出金される硬貨の量は硬貨出金口１３２の容量を上回る。このため、制御部４０は、図６のＳ３０８に示した判断に代えて、オペレータからの指示が入金指示、一部回収指示または全回収指示のいずれであったかの判断を適用してもよい。そして、オペレータからの指示が入金指示であった場合にはＳ３１２に処理が進み、オペレータからの指示が一部回収指示または全回収指示であった場合にはＳ３１６に処理が進んでもよい。
【００５４】
（４−２．第２の動作例）
続いて、第２の動作例を説明する。図８は、第２の動作例による出金処理を示すフローチャートである。第２の動作例においては、図８に示したように、硬貨入出金部１００は、オペレータによる入金指示、一部回収指示または全回収指示などの出金指示に基づき、通常速度での出金を開始する（Ｓ４０４）。通常速度での出金とは、複数の硬貨収納庫１６２から繰り出される硬貨の単位時間当たりの総量が通常の総量である出金、または、個別の硬貨収納庫１６２から繰り出される硬貨の単位時間当たりの量が通常の個別量である出金であってもよい。
【００５５】
そして、制御部４０は、フル状態検出部１７４によりフル状態が検出されるまで、硬貨入出金部１００に硬貨の出金を継続させる（Ｓ４１２）。その間に出金予定の残り硬貨が無くなった場合（Ｓ３４０８／Ｎｏ）、出金処理が終了する。
【００５６】
フル状態検出部１７４によりフル状態が検出されると（Ｓ４１２／Ｙｅｓ）、制御部４０は、硬貨入出金部１００に出金を停止させる（Ｓ４１６）。その後、硬貨出金口１３２から硬貨が取り出されてフル状態が解除されると（Ｓ４２０／Ｎｏ）、制御部４０は、空状態の検出を待たずに硬貨の出金を硬貨入出金部１００に再開させ（Ｓ４２４）、Ｓ４０８からの処理が繰り返される。
【００５７】
ここで、制御部４０は、硬貨の出金を再開直後には、硬貨入出金部１００に低速度で硬貨を出金させる。低速度は、Ｓ４０４で説明した通常速度よりも遅い速度（単位時間当たりの硬貨の出金量が第１の量）であり、通常速度の半分以上の速度であってもよい。かかる構成によれば、硬貨の取り出しと並行して硬貨の出金を行うことが可能であり、かつ、出金速度が硬貨の取り出し速度を上回り頻繁にフル状態が検出されてしまうことを抑制することが可能である。従って、円滑な硬貨の出金処理を実現できる。
【００５８】
また、制御部４０は、硬貨の出金速度を低速度から段階的にまたは連続的に増加させる。例えば、制御部４０は、空状態の検出に基づいて硬貨の出金速度を通常速度に増加させてもよい。かかる構成によれば、フル状態の発生を抑制しつつ、出金にかかる時間を短縮することが可能である。また、制御部４０は、Ｓ４１６において、硬貨入出金部１００に出金を停止させ、操作表示部に硬貨の取り出しを誘導する情報を表示させてもよい。
【００５９】
＜５．変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００６０】
例えば、上述した第１の動作例による出金処理と、第２の動作例による出金処理は、オペレータからの指示により使い分けられてもよい。すなわち、現金処理装置１は、第１の動作例による出金に対応するオブジェクト、および第２の動作例による出金に対応するオブジェクトを含む画面を表示し、オペレータにより選択されたオブジェクトに対応する出金処理を行ってもよい。
【００６１】
また、第２の動作例において、制御部４０は、フル状態の検出履歴に基づいて決定した速度で出金を再開させてもよい。例えば、第１の速度で出金を再開してから所定時間内にフル状態が検出された場合、第１の速度が硬貨の取り出し速度を上回っていると考えられる。そこで、制御部４０は、第１の速度で出金を再開してから所定時間内にフル状態が検出された場合、第１の速度よりも低速な第２の速度で硬貨入出金部１００に出金を再開させてもよい。
【００６２】
また、第２の動作例において、制御部４０は、出金の再開後、所定時間の経過後に出金速度を低速度から通常速度に切り替えてもよいし、所定時間の経過後に出金速度が通常速度になるように出金速度を連続的または段階的に増加させてもよい。
【００６３】
また、第２の動作例において、制御部４０は、出金の再開直後に、通常速度よりも高速な出金速度で硬貨入出金部１００に硬貨を出金させ、連続的または段階的に出金速度を低下させてもよい。フル状態は、オペレータが硬貨を一掴みして硬貨を取り出したことにより解除される。このため、フル状態が解除された時点で、硬貨出金口１３２の容量に対して一掴み分の硬貨の空きがあると考えられる。よって、硬貨入出金部１００に通常速度よりも高速な出金速度で出金を再開させても直ちにフル状態に至ることはなく、かつ、高速な出金速度の適用により、硬貨出金口１３２が空になりオペレータが硬貨の出金を待つ状態の発生を抑制することが可能である。
【００６４】
＜６．むすび＞
以上説明したように、本実施形態の第１の動作例および第２の動作例によれば、円滑な硬貨の出金処理を実現することが可能である。具体的には、出金予定の全ての硬貨が出金されてオペレータに取出されるまでの時間を短縮することが可能である。
【００６５】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６６】
例えば、本明細書の現金処理装置１の処理における各ステップは、必ずしもフローチャートとして記載された順序に沿って時系列に処理する必要はない。例えば、現金処理装置１の処理における各ステップは、フローチャートとして記載した順序と異なる順序で処理されても、並列的に処理されてもよい。
【００６７】
また、現金処理装置１に内蔵されるＣＰＵ、ＲＯＭおよびＲＡＭなどのハードウェアに、上述した現金処理装置１の各構成と同等の機能を発揮させるためのコンピュータプログラムも作成可能である。また、該コンピュータプログラムを記憶させた記憶媒体も提供される。
【符号の説明】
【００６８】
１  現金処理装置
１０  現金処理装置
４０  制御部
５０  記憶部
６０  通信部
１００  硬貨入出金部
１３１  入金口
１３２  硬貨出金口
１３２ａ  曲面
１３３  リジェクト口
１５１  入金搬送部
１５１ａ  搬送ベルト
１５１ｂ  搬送ベルト
１５２  搬送路
１５３  鑑別部
１５４  選別部
１５５  金種別収納部
１５６  出金繰出部
１５７  リジェクトゲート
１５８  選別収納ゲート
１６１  仕切り板
１６２  硬貨収納庫
１７２  空状態検出部
１７４  フル状態検出部
２００  紙幣入出金部
２０４  シャッタ
２２０  操作表示部
２２１  表示部
２２２  操作部
４００  ホストコンピュータ
５００  ネットワーク
【図１】
2019096169.tif 000003
【図２】
2019096169.tif 000004
【図３】
2019096169.tif 000005
【図４】
2019096169.tif 000006
【図５】
2019096169.tif 000007
【図６】
2019096169.tif 000008
【図７】
2019096169.tif 000009
【図８】
2019096169.tif 000010